(57)【要約】【課題】分布定数回路を用いたフィルタ装置及び回路モジュールに関し、特に、小型で、広帯域のバンドパス特性が得られるフィルタ装置及び回路モジュールを提供することを目的とする。【解決手段】本発明は、分布定数回路により構成され、バンドエルミネート特性を有する第１のフィルタ手段と、第１のフィルタによるバンドエルミネート特性の低域減衰極周波数以下及び高域減衰極周波数以上の周波数を減衰させる第２のフィルタ手段とにより帯域通過特性を有するフィルタ装置を構成したことを特徴とする。【選択図】図６
2005318428.tif 000002
【特許請求の範囲】
【請求項１】
帯域通過特性を有するフィルタ装置において、
分布定数回路により構成され、バンドエルミネート特性を有する第１のフィルタ手段と、
前記第１のフィルタによるバンドエルミネート特性の低域減衰極周波数以下又は高域減衰極周波数以上の周波数を減衰させる第２のフィルタ手段とを有することを特徴とするフィルタ装置。
【請求項２】
前記第１のフィルタ手段は、スタブ付きリングフィルタを有することを特徴とする請求項１記載のフィルタ装置。
【請求項３】
前記第１のフィルタ手段は、前記スタブ付きリングフィルタが多段に縦続接続されたことを特徴とする請求項２記載のフィルタ装置。
【請求項４】
前記第２のフィルタ手段は、集中定数回路から構成され、前記第１のフィルタによるバンドエルミネート特性の低域減衰極周波数以下の周波数を減衰させるハイパスフィルタと、
集中定数回路から構成され、前記第１のフィルタによるバンドエルミネート特性の高域減衰極周波数以上の周波数を減衰させるローパスフィルタとを有することを特徴とする請求項１乃至３のいずれか一項記載のフィルタ装置。
【請求項５】
前記第２のフィルタ手段は、分布定数回路から構成されたことを特徴とする請求項１乃至３のいずれか一項記載のフィルタ装置。
【請求項６】
前記第２のフィルタ手段は、前記分布定数回路としてショートスタブを有することを特徴とする請求項５記載のフィルタ装置。
【請求項７】
前記第２のフィルタ手段は、前記ショートスタブが多段に接続されたことを特徴とする請求項６記載のフィルタ装置。
【請求項８】
前記第１のフィルタ手段は、第１のスタブ付きリングフィルタと、前記第１のスタブ付きリングフィルタの出力ポートに入力ポートが接続された第２のスタブ付きリングフィルタとから構成され、
前記第２のフィルタ手段は、前記第１のスタブ付きリングフィルタの入力ポート側の第１の配線に形成された少なくとも１段のショートスタブから構成される第１のショートスタブ部と、前記第２のスタブ付きリングフィルタの出力ポート側の第２の配線に形成された少なくとも１段のショートスタブから構成される第２のショートスタブ部と、前記第１のスタブ付きリングフィルタの出力ポートと前記第２のスタブ付きリングフィルタの入力ポートとを接続する第３の配線に形成された少なくとも１段のショートスタブから構成される第３のショートスタブ部とから構成されたことを特徴とする請求項５乃至７のいずれか一項記載のフィルタ装置。
【請求項９】
前記３の配線は、前記第１のスタブ付きリングフィルタと前記第２のスタブ付きリングフィルタとの入出力が折り返されるパターンとされていることを特徴とする請求項８記載のフィルタ装置。
【請求項１０】
前記第１のスタブ付きリングフィルタを構成するオープンスタブは、前記第２のリング付きフィルタの方向に延出しており、
前記第２のスタブ付きリングフィルタを構成するオープンスタブは、前記第１のリング付きフィルタ方向に延出していることを特徴とする請求項９記載のフィルタ装置。
【請求項１１】
前記第１のショートスタブ部は、前記第１の配線から前記第２の配線方向に延出され、
前記第２のショートスタブ部は、前記第２の配線から前記第１の配線方向に延出されたことを特徴とする請求項９又は１０記載のフィルタ装置。
【請求項１２】
前記第１のフィルタ手段は、第１のスタブ付きリングフィルタと、第２のスタブ付きリングフィルタと、前記第１のスタブ付きリングフィルタの出力ポートに入力ポートが接続され、前記第２のスタブ付きリングフィルタの入力ポートに出力ポートが接続された第３のスタブ付きリングフィルタとから構成され、
前記第２のフィルタ手段は、前記第１のスタブ付きリングフィルタの入力ポート側の第１の配線に形成された少なくとも１段のショートスタブから構成される第１のショートスタブ部と、前記第２のスタブ付きリングフィルタの出力ポート側の第２の配線に形成された少なくとも１段のからショートスタブから構成される第２のショートスタブ部とを有することを特徴とする請求項５乃至７のいずれか一項記載のフィルタ装置。
【請求項１３】
前記第１のスタブ付きリングフィルタと前記第２のスタブ付きリングフィルタとは、前記第３のスタブ付きリングフィルタにより入出力が折り返されるように配置されていることを特徴とする請求項１２記載のフィルタ装置。
【請求項１４】
前記第１のスタブ付きリングフィルタを構成するオープンスタブ及び前記第２のスタブ付きリングフィルタを構成するオープンスタブ並びに前記第３のスタブ付きリングフィルタを構成するオープンスタブは、折り返し形状の内周側に延出して形成されたことを特徴とする請求項１３記載のフィルタ装置。
【請求項１５】
前記第１のスタブ付きリングフィルタを構成するオープンスタブ及び前記第２のスタブ付きリングフィルタを構成するオープンスタブは、折り返し形状の外側に延出して形成されたことを特徴とする請求項１３記載のフィルタ装置。
【請求項１６】
前記第１のフィルタ手段及び前記第２のフィルタ手段は、同一の回路基板上に搭載されたことを特徴とする請求項１乃至１５のいずれか一項記載のフィルタ装置。
【請求項１７】
前記回路基板上に、前記第１のフィルタ手段及び前記第２のフィルタ手段の周辺回路を構成するチップ部品を搭載したことを特徴とする請求項１６記載のフィルタ装置。
【請求項１８】
前記回路基板は、可撓性を有する回路基板から構成され、
前記可撓性を有する回路基板を折曲した形状としたことを特徴とする請求項１６又は１７記載のフィルタ装置。
【請求項１９】
前記回路基板は、可撓性を有する回路基板から構成され、
前記可撓性を有する回路基板を巻回した形状としたことを特徴とする請求項１６又は１７記載のフィルタ装置。
【請求項２０】
前記第１のショートスタブ部の先端と前記第２のショートスタブ部の先端は、共通の接地手段に接続されたことを特徴とする請求項９乃至１０、及び、請求項１３乃至１９のいずれか一項記載のフィルタ装置。
【請求項２１】
前記接地手段は、接地に接続され、前記第１のショートスタブ部と前記第２のショートスタブ部との間に立設された導体板から構成されることを特徴とする請求項２０記載のフィルタ装置。
【請求項２２】
前記折り返し部分の内周側の延出したオープンパターンは、他のオープンパターンに対向する部分の形状がラウンド形状とされたことを特徴とする請求項９乃至１０、及び、請求項１３乃至２１のいずれか一項記載のフィルタ装置。
【請求項２３】
前記第１のフィルタ手段と前記第２のフィルタ手段は、誘電体よりなる封止材により封止されたことを特徴とする請求項１乃至２２のいずれか一項記載のフィルタ装置。
【請求項２４】
帯域通過特性を有するフィルタ装置において、
分布定数回路により構成され、バンドエルミネート特性を有する第１のフィルタ手段と、
前記第１のフィルタによるバンドエルミネート特性の低域減衰極周波数以下又は高域減衰極周波数以上の周波数を減衰させる第２のフィルタ手段とを有し、
前記第２のフィルタ手段は、集中定数回路から構成され、前記第１のフィルタによるバンドエルミネート特性の低域減衰極周波数以下の周波数を減衰させるハイパスフィルタと、
集中定数回路から構成され、前記第１のフィルタによるバンドエルミネート特性の高域減衰極周波数以上の周波数を減衰させるローパスフィルタとを有することを特徴とするフィルタ装置。
【請求項２５】
帯域通過特性を有するフィルタ装置において、
分布定数回路により構成され、バンドエルミネート特性を有する第１のフィルタ手段と、
ショートスタブから構成され、前記第１のフィルタによるバンドエルミネート特性の低域減衰極周波数以下又は高域減衰極周波数以上の周波数を減衰させる第２のフィルタ手段とを有することを特徴とするフィルタ装置。
【請求項２６】
帯域通過特性を有するフィルタ装置において、
分布定数回路により構成され、バンドエルミネート特性を有する第１のフィルタ手段と、
前記第１のフィルタによるバンドエルミネート特性の低域減衰極周波数以下又は高域減衰極周波数以上の周波数を減衰させる第２のフィルタ手段とを有し、
前記第１のフィルタ手段及び前記第２のフィルタ手段は、フレキシブルプリント配線基板上に形成され、
前記フレキシブルプリント配線基板を折曲した形状としたことを特徴とするフィルタ装置。
【請求項２７】
帯域通過特性を有するフィルタ装置において、
分布定数回路により構成され、バンドエルミネート特性を有する第１のフィルタ手段と、
前記第１のフィルタによるバンドエルミネート特性の低域減衰極周波数以下又は高域減衰極周波数以上の周波数を減衰させる第２のフィルタ手段とを有し、
前記第１のフィルタ手段及び前記第２のフィルタ手段は、フレキシブルプリント配線基板上に形成され、
前記フレキシブルプリント配線基板を巻回した形状としたことを特徴とするフィルタ装置。
【請求項２８】
回路基板と、
前記回路基板上に導電パターンにより分布定数回路として形成されたフィルタ手段と、
前記回路基板上に搭載され、前記フィルタ手段の周辺回路を構成するチップ部品とを有することを特徴とする回路モジュール。
【請求項２９】
複数のスタブを有する分布定数回路が形成された回路モジュールにおいて、
前記複数のスタブのうち角部が他のスタブと近接するスタブは、該角部がラウンド状に形成されたことを特徴とする回路モジュール。
【請求項３０】
分布定数回路が搭載されたフレキシブル配線板を有する回路モジュールであって、
前記フレキシブル配線板を折曲又は巻回した状態で誘電体樹脂により封止した構成とされた回路モジュール。
【発明の詳細な説明】
【技術分野】
【０００１】
本発明はフィルタ装置及び回路モジュールに係り、特に、分布定数回路を用いたフィルタ装置及び回路モジュールに関する。
【背景技術】
【０００２】
近距離無線通信方式として、ＵＷＢ（ultra-wide-band）通信方式が注目されている。ＵＷＢ（ultra-wide-band）通信方式は、一般に５００ＭＨｚ以上の周波数帯域、もしくは、比帯域２０％以上の周波数帯域を使用した通信方式であると定義されており、ディジタル変調を行い、直接高周波帯域に拡散を行うことにより、数ＧＨｚもの周波数帯域を利用して、数百Ｍｂｐｓの高速無線通信が可能である。
【０００３】
このようなＵＷＢ通信方式では、広帯域で通信を行いつつ、既存の電波に干渉しないようにするために、広帯域で、かつ、急峻なバンドパスフィルタが必要とされている。
【０００４】
しかしながら、現在、使用されている誘電体フィルタやＳＡＷ（surface acoustic wave）フィルタでは、一般に比帯域を８％以上に広げることは困難とされている。
【０００５】
そこで、広帯域の周波数特性が得られるフィルタ装置として、分布定数回路を用いたリングフィルタが開発されている（特許文献１、２参照）。リングフィルタは、分布定数回路であるため、平面パターンで構成でき、かつ、広通過帯域、低い通過損失、急峻な減衰極が得られるフィルタ装置としてＵＷＢ通信方式への適用が注目されている。
【０００６】
図１はリングフィルタの構成図、図２はリングフィルタの通過周波数特性図を示す。
【０００７】
リングフィルタ１は、リング部１１とオープンスタブ部１２とから構成される。リング部１１は、λ／２経路部１１ａ、第１のλ／４経路部１１ｂ、第２のλ／４経路部１１ｃから構成される。なお、λは、中心周波数の波長である。
【０００８】
λ／２経路部１１ａは、一端がポートＰ１に接続され、他端がポートＰ２に接続される。また、第１のλ／４経路部１１ｂ、第２のλ／４経路部１１ｃから構成される。
【０００９】
第１のλ／４経路部１１ｂは、一端がポートＰ１に接続され、他端が第２のλ／４経路部１１ｃの一端に接続される。第２のλ／４経路部１１ｃは、一端が第１のλ／４経路部１１ｂの他端に接続され、他端がポートＰ２に接続される。
【００１０】
オープンスタブ部１２は、一端が第１のλ／４経路部１１ｂと第２のλ／４経路部１１ｃとの接続点に接続され、他端は開放状態とされている。
【００１１】
図１に示すリングフィルタによれば、図２に示すように波長λの周波数ｆ0を中心周波数とし、中心周波数を対象に減衰極周波数ｆ１、ｆ２が配置されたバンドエルミネート特性が得られる。
【００１２】
しかるに、リングフィルタは、図２に示すように急峻な周波数減衰極を有するバンドエルミネート特性を有している。このため、このままではバンドパスフィルタとして用いることはできなかった。
【００１３】
そこで、複数のリングフィルタの低域周波数減衰極及び高域周波数減衰極を広げつつ、多段に縦続接続することにより低域周波数減衰極及び高域周波数減衰極の周波数帯域を広げ、バンドパス特性に近似した周波数特性を得る方法が検討されている（非特許文献１）。
【００１４】
図３はリングフィルタを用いたフィルタ装置の構成図、図４はリングフィルタを用いたフィルタ装置の周波数特性図を示す。
【００１５】
リングフィルタを用いたフィルタ装置２０は、第１のリングフィルタ２１、第２のリングフィルタ２２、第３のリングフィルタ２３から構成される。
【００１６】
第１のリングフィルタ２１、第２のリングフィルタ２２、第３のリングフィルタ２３は、図１と同様な構成とされている。第１のリングフィルタ２１は、一端がポートＰ１に接続され、他端が第２のリングフィルタ２２の一端に接続されている。第２のリングフィルタ２２は、一端が第１のリングフィルタ２１の他端に接続され、他端が第３のリングフィルタ２３の一端に接続されている。第３のリングフィルタ２３は、一端が第２のリングフィルタ２２の他端に接続され、他端がポートＰ２に接続されている。
【００１７】
第１のリングフィルタ２１は、図４に破線で示すように減衰極周波数がｆ11、ｆ12となる周波数特性が得られるようにオープンスタブ部２１ａ、λ／２経路部２１ｂ、λ／４経路部２１ｃ、２１ｄの幅及び長さが設定されている。オープンスタブ部２１ａ、λ／２経路部２１ｂ、λ／４経路部２１ｃ、２１ｄの幅及び長さによって、オープンスタブ部２１ａ、λ／２経路部２１ｂ、λ／４経路部２１ｃ、２１ｄのインピーダンスＺ11、Ｚ12、Ｚ13が決定され、図４に破線で示すように減衰極周波数がｆ11、ｆ12となる周波数特性が得られる。
【００１８】
また、第２のリングフィルタ２２は、図４に一点鎖線で示すように減衰極周波数がｆ21、ｆ22となる周波数特性が得られるようにオープンスタブ部２２ａ、λ／２経路部２２ｂ、λ／４経路部２２ｃ、２２ｄの幅及び長さが設定されている。オープンスタブ部２２ａ、λ／２経路部２２ｂ、λ／４経路部２２ｃ、２２ｄの幅及び長さによって、オープンスタブ部２２ａ、λ／２経路部２２ｂ、λ／４経路部２２ｃ、２２ｄのインピーダンスＺ21、Ｚ22、Ｚ23が決定され、図４に一点鎖線で示すように減衰極周波数がｆ21、ｆ22となる周波数特性が得られる。
【００１９】
さらに、第３のリングフィルタ２３は、図４に二点鎖線で示すように減衰極周波数がｆ31、ｆ32となる周波数特性が得られるようにオープンスタブ部２３ａのインピーダンスＺ31が設定されている。オープンスタブ部２３ａ、λ／２経路部２３ｂ、λ／４経路部２３ｃ、２３ｄの幅及び長さによって、オープンスタブ部２３ａ、λ／２経路部２３ｂ、λ／４経路部２３ｃ、２３ｄのインピーダンスＺ31、Ｚ32、Ｚ33が決定され、図４に二点鎖線で示すように減衰極周波数がｆ31、ｆ32となる周波数特性が得られる。
【００２０】
フィルタ装置２０の周波数特性は、第１のリングフィルタ２１、及び、第２のリングフィルタ２２、並びに、第３のリングフィルタ２３の周波数特性を合成したものであり、図４に実線で示すような特性となる。フィルタ装置２０によれば、低域周波数減衰極及び高域周波数減衰極の異なる第１のリングフィルタ２１、第２のリングフィルタ２２、第３のリングフィルタ２３を縦続接続することにより図４に実線で示すような低域周波数減衰極及び高域周波数減衰極の周波数帯域が広い、バンドパス特性に近似した周波数特性が得られる。
【００２１】
【特許文献１】特開平７−１８３７３２号公報
【特許文献２】特開平１１−１７４０５号公報
【非特許文献１】石田等、中川貴夫、荒木純道、”広帯域リングフィルタの開発”,TECHNICAL REPORT OF IEICE,WBS2003-20,MW2003-32(2003-05),社団法人  電子情報通信学会
【発明の開示】
【発明が解決しようとする課題】
【００２２】
しかるに、図３では説明を簡単にするためにリングフィルタを３段縦続接続した場合について説明しているが、ＵＷＢ通信方式に適用する場合にはリングフィルタの段数は、３段では十分ではなく、より多くのリングフィルタを縦続接続する必要があり、大型化するとともに、通過損失が増大するなどの課題があった。
【００２３】
本発明は上記の点に鑑みてなされたもので、小型で、広帯域のバンドパス特性が得られるフィルタ装置及び回路モジュールを提供することを目的とする。
【課題を解決するための手段】
【００２４】
本発明は、分布定数回路により構成され、バンドエルミネート特性を有する第１のフィルタ手段と、第１のフィルタによるバンドエルミネート特性の低域減衰極周波数以下又は高域減衰極周波数以上の周波数を減衰させる第２のフィルタ手段とにより帯域通過特性を有するフィルタ装置を構成したことを特徴とする。
【００２５】
本発明によれば、分布定数回路により構成され、バンドエルミネート特性を有する第１のフィルタ手段により広帯域の通過帯域特性を取得し、第２のフィルタ手段により第１のフィルタで得られたバンドエルミネート特性の低域減衰極周波数以下及び高域減衰極周波数以上の周波数を減衰させることにより、バンドパス特性を取得することができる。
【発明の効果】
【００２６】
本発明によれば、分布定数回路により構成された第１のフィルタ手段により広帯域の通過特性を取得し、第２のフィルタ手段により、第１のフィルタによるバンドエルミネート特性の低域減衰極周波数以下及び高域減衰極周波数以上の周波数を減衰させることにより、広帯域のバンドパス特性を取得することにより、第１のフィルタ手段をバンドエルミネート特性のまま用いることができるため、第１のフィルタ手段を小型化でき、よって、小型で、かつ、広帯域のバンドパス特性が得られるなどの特長を有する。
【発明を実施するための最良の形態】
【００２７】
〔第１実施例〕
〔全体構成〕
図５は本発明の第１実施例の斜視図、図６は本発明の第１実施例の導電パターンの構成図を示す。
【００２８】
本実施例のフィルタ装置１００は、帯域通過特性を有するフィルタ装置であり、第１のフィルタ手段１０１及び第２のフィルタ手段１０２から構成され、第１のフィルタ手段１０１及び第２のフィルタ手段１０２をプリント配線板１１１上に搭載した構成とされている。
【００２９】
〔第１のフィルタ手段１０１〕
第１のフィルタ手段１０１は、分布定数回路により構成され、プリント配線板１１１上にプリント配線として形成される。第１のフィルタ手段１０１は、バンドエルミネート特性を有するフィルタ装置であり、図３に示すフィルタ装置２０と同様な構成とされており、第１のスタブ付きリングフィルタ１２１、第２のスタブ付きリングフィルタ１２２、第３のスタブ付きリングフィルタ１２３から構成される。
【００３０】
第１のスタブ付きリングフィルタ１２１は、図３に示す第１のリングフィルタ２１と同様な構成とされ、一端が第２のフィルタ手段１０２を介してポートＰ11に接続され、他端が第２のスタブ付きリングフィルタ１２２の一端に接続されている。第２のスタブ付きリングフィルタ１２２は、図３に示す第２のリングフィルタ２２と同様な構成とされており、その一端が第１のスタブ付きリングフィルタ２１の他端に接続され、他端が第３のスタブ付きリングフィルタ２３の一端に接続されている。第３のスタブ付きリングフィルタ１２３は、図３に示す第３のリングフィルタ２３と同様な構成とされ、一端が第２のスタブ付きフィルタ２２の他端に接続され、他端がポートＰ12に接続されている。
【００３１】
第１のスタブ付きリングフィルタ１２１、第２のスタブ付きリングフィルタ１２２、第３のスタブ付きリングフィルタ１２３は、プリント配線板１１１の一面に導電パターンとして形成されている。第１のフィルタ手段１０１は、上記構成によって、図４と同様なバンドエルミネート特性を有する。
【００３２】
〔第２のフィルタ手段１０２〕
第２のフィルタ手段１０２は、第１のフィルタ１０１のバンドエルミネート特性の低域減衰極周波数以下の周波数を減衰させるフィルタであり、チップコンデンサ１３１から構成されている。チップコンデンサ１３１は、プリント配線により一端がポートＰ11に接続され、他端が第１のスタブ付きリングフィルタ１２２の一端に接続されている。
【００３３】
なお、第２のフィルタ手段１０２はチップコンデンサに限定されるものではなく、導電パターンなどを用いて分布定数回路により構成するようにしてもよい。
【００３４】
〔周波数特性〕
図７はフィルタ装置１００の周波数特性図を示す。
【００３５】
本実施例では、第１のフィルタ手段１０１により図７に破線で示すように必要な帯域の前後に低周波数減衰極ｆ11及び高周波数減衰極ｆ12を有するバンドエルミネート特性が得られる。また、第２のフィルタ手段１０２により図７に一点鎖線で示すように低周波数減衰極ｆ11以下の周波数帯域で信号が減衰されるようなハイパス特性が得えられる。
【００３６】
フィルタ装置１００は、図７に破線で示すバンドエルミネート特性と図７に一点鎖線で示すようなハイパス特性とを合成した特性となるので、図７に実線で示すような周波数特性を示す。
【００３７】
〔効果〕
本実施例によれば、プリント配線板１１１上に導電パターンにより形成された第１のスタブ付きリングフィルタ１２１、第２のスタブ付きリングフィルタ１２２、第３のスタブ付きリングフィルタ１２３と一つのチップコンデンサ１３１により構成できるため、簡単な構成で、通過帯域の前後で急峻な減衰特性が得られ、同時に、通過帯域より低い周波数帯域の信号成分を確実に除去できるようになる。
【００３８】
このため、ＵＷＢ通信方式などのバンドパスフィルタとして用いた場合、低周波数帯域の他の電波への影響を確実に抑制できる。
【００３９】
なお、本実施例では、チップコンデンサ１３１を一端がポートＰ11に接続され、他端が第１のスタブ付きリングフィルタ１２２の一端に接続されるように配置したが、これに限定されるものではなく、要は、第１のスタブ付きリングフィルタ１２１、第２のスタブ付きリングフィルタ１２２、第３のスタブ付きリングフィルタ１２３及びチップコンデンサ１３１がポートＰ11とポートＰ12との間に直列に接続されていれば、その配置はどのように配置であってもよい。
【００４０】
〔第２実施例〕
図８は本発明の第２実施例の斜視図、図９は本発明の第２実施例の構成図を示す。同図中、図５、図６と同一構成部分には同一符号を付し、その説明は省略する。
【００４１】
本実施例のフィルタ装置２００は、第２のフィルタ手段２０２の構成が第１実施例とは相違する。
【００４２】
本実施例の第２フィルタ手段２０２は、ローパスフィルタ２３１、ハイパスフィルタ２３２から構成される。ローパスフィルタ２３１は、ポートＰ11と第１のスタブ付きリングフィルタ１２１との間に配置される。また、ハイパスフィルタ２３２は、ポートＰ12と第３のスタブ付きリングフィルタ１２３との間に配置される。
【００４３】
図１０はローパスフィルタ２３１の回路構成図を示す。
【００４４】
ローパスフィルタ２３１は、インダクタＬ１、抵抗Ｒ１、キャパシタＣ１から構成されており、ローパス特性を有するパッシブフィルタを構成している。インダクタＬ１、抵抗Ｒ１、キャパシタＣ１は、例えば、チップ部品から構成され、プリント配線板１１１上の配線によって接続される。なお、抵抗Ｒ１、キャパシタＣ１は、スルーホール２３３を通してプリント配線板１１１の裏面全面に形成された接地パターン１２４に接続される。
【００４５】
図１１はハイパスフィルタ２３２の回路構成図を示す。
【００４６】
ハイパスフィルタ２３２は、キャパシタＣ２、抵抗Ｒ２、インダクタＬ２から構成されており、ハイパス特性を有するパッシブフィルタを構成している。インダクタＬ２、抵抗Ｒ２、キャパシタＣ２は、例えば、チップ部品から構成され、プリント配線板１１１上の配線によって接続される。なお、抵抗Ｒ２、インダクタＬ２は、スルーホール２３４を通してプリント配線板１１１の裏面全面に形成された接地パターン１２４に接続される。
【００４７】
図１２はフィルタ装置２００の周波数特性図を示す。
【００４８】
本実施例では、第１のフィルタ手段１０１により図７に破線で示すように必要な帯域の前後に低周波数減衰極ｆ11及び高周波数減衰極ｆ12を有するバンドエルミネート特性が得られ、また、ローパスフィルタ２３１により図１２に一点鎖線で示すように高周波数減衰極ｆ12以上の周波数帯域で信号が減衰されるようなローパス特性が得えられ、ハイパスフィルタ２３２により図１２に二点鎖線で示すように低周波数減衰極ｆ11以下の周波数帯域で信号が減衰されるようなハイパス特性が得えられる。
【００４９】
フィルタ装置２００は、図１２に破線で示すバンドエルミネート特性と図１２に一点鎖線で示すようなハイパス特性並びに図１２に二点鎖線で示すローパス特性とを合成した特性となるので、図１２に実線で示すような周波数特性を示す。
【００５０】
〔効果〕
本実施例によれば、プリント配線板１１１上に導電パターンとして形成された第１のスタブ付きリングフィルタ１２１、第２のスタブ付きリングフィルタ１２２、第３のスタブ付きリングフィルタ１２３とローパスフィルタ２３１、並びに、ハイパスフィルタ２３２により、簡単な構成で、通過帯域の前後で急峻な減衰特性が得られ、同時に、通過帯域外の信号成分を確実に除去できるようになる。
【００５１】
このため、ＵＷＢ通信方式などのバンドパスフィルタとして用いた場合、他の電波への影響を確実に抑制できる。
【００５２】
〔その他〕
なお、本実施例では、ローパスフィルタ２３１をポートＰ11と第１のスタブ付きリングフィルタ１２１との間に配置し、また、ハイパスフィルタ２３２をポートＰ12と第３のスタブ付きリングフィルタ１２３との間に配置したが、ローパスフィルタ２３１及びハイパスフィルタ１２３の挿入位置はこれに限定されるものではない。
【００５３】
例えば、ローパスフィルタ２３１をポートＰ12と第３のスタブ付きリングフィルタ１２３との間に配置し、ハイパスフィルタ２３２をポートＰ11と第１のスタブ付きリングフィルタ１２１との間に配置するようにしてもよい。また、ローパスフィルタ２３１とハイパスフィルタ２３２を直列に接続し、ポートＰ11と第１のスタブ付きリングフィルタ１２１との間に配置してもよい。さらに、ローパスフィルタ２３１及びハイパスフィルタ２３２を第１のスタブ付きリングフィルタ１２１、第２のスタブ付きリングフィルタ１２２、第３のスタブ付きリングフィルタ１２３の間に挿入するようにしてもよく。
【００５４】
要は、第１のスタブ付きリングフィルタ１２１、第２のスタブ付きリングフィルタ１２２、第３のスタブ付きリングフィルタ１２３及びローパスフィルタ２３１、ローパスフィルタ２３２がポートＰ11とポートＰ12との間に直列に接続されていれば、その配置はどのような配置であってもよい。
【００５５】
〔第３実施例〕
図１３は本発明の第３実施例の斜視図、図１４は本発明の第３実施例の要部の構成図を示す。同図中、図５、図６と同一構成部分には同一符号を付し、その説明は省略する。
【００５６】
本実施例のフィルタ装置３００は、第２のフィルタ手段３０２の構成が第１実施例とは相違する。本実施例の第２のフィルタ手段３０２は、分布定数回路であるショートスタブ３１１〜３１４から構成されている。
【００５７】
図１５はショートスタブ３１１の構成図を示す。
【００５８】
ショートスタブ３１１は、一端がポートＰ11と第１のスタブ付きリングフィルタ１２１の一端とを接続する第１の配線パターン３２１に接続され、他端がスルーホール３２２を介してプリント配線板１１１の裏面側の略全面にわたって形成された接地パターン１２４に接続されている。ショートスタブ３１１は、幅Ｗ11、長さが略（λ／４）に設定されている。なお、λは得ようとする周波数特性の中心周波数ｆ0の波長である。
【００５９】
ショートスタブ３１２は、ショートスタブ３１１と同様な構成とされており、一端がポートＰ12と第３のスタブ付きリングフィルタ１２３の他端とを接続する第２の配線パターン３３１に接続され、他端がスルーホール３３２を介してプリント配線板１１１の裏面側の略全面にわたって形成された接地パターン１２４に接続されている。ショートスタブ３１２は、幅Ｗ12、長さが略（λ／４）に設定されている。
【００６０】
ショートスタブ３１３は、ショートスタブ３１１と同様な構成とされており、一端がポートＰ12と第３のスタブ付きリングフィルタ１２３の他端とを接続する第２の配線パターン３３１に接続され、他端がスルーホール３３３を介してプリント配線板１１１の裏面側の略全面にわたって形成された接地パターン１２４に接続されている。ショートスタブ３１３は、幅Ｗ13、長さが略（λ／４）に設定されている。
【００６１】
ショートスタブ３１４は、ショートスタブ３１１と同様な構成とされており、一端がポートＰ12と第３のスタブ付きリングフィルタ１２３の他端とを接続する第２の配線パターン３３１に接続され、他端がスルーホール３３４を介してプリント配線板１１１の裏面側の略全面にわたって形成された接地パターン１２４に接続されている。ショートスタブ３１４は、幅Ｗ14、長さが略（λ／４）に設定されている。
【００６２】
なお、ショートスタブ３１１〜３１４の長さ及び幅は、得ようとする周波数特性に応じて適宜調整される。
【００６３】
図１６、図１７はショートスタブ周波数特性図を示す。
【００６４】
ショートスタブはその幅を大きくすると、ショートスタブのインピーダンスが小さくなり、周波数特性が実線で示す特性から破線で示すような特性となる。すなわち、通過帯域がショートスタブのインピーダンスが小さくなるのに応じて図１６に矢印で示す方向に徐々に狭くなる。
【００６５】
また、ショートスタブは、その段数を増やすことにより、阻止帯域の減衰量を増加させることができ、図１７に示すように段数に応じて徐々に急峻な特性とすることができる。
【００６６】
このように、第２のフィルタ手段３０２の周波数特性は、ショートスタブの幅、及び、長さ、並びに、段数によって調整することが可能となる。
【００６７】
このとき、ショートスタブは、図１６、図１７に示すようにバンドパスフィルタの特性を有するので、狭い幅のショートスタブを多段に配置すれば、広帯域で、かつ、減衰が急峻なバンドパス特性が得られるが、（λ／４）間隔で配置する必要があり、ＵＷＢ通信方式に必要な周波数特性を得るには、多段にわたって形成する必要があり、基板の面積が大きくなる。
【００６８】
このため、本実施例では、第１のフィルタ手段１０１を３段のスタブ付きリングフィルタにより構成することにより、広帯域で、急峻な減衰の特性を取得し、第２のフィルタ手段３０２を４段のショートスタブ３１１〜３１４で構成することにより、第２のフィルタ手段３０２により第１のフィルタ手段１０１の周波数特性の低周波数減衰極以下の周波数及び高周波数減衰極以上の周波数をカットすることにより、省スペースで、広帯域で、かつ、急峻な減衰の特性を持つ、バンドパス特性を得ている。
【００６９】
図１８はフィルタ装置３００の周波数特性図を示す。
【００７０】
本実施例のフィルタ装置３００によれば、周波数ｆ31〜ｆ32の略２０００ＭＨｚの広帯域で、かつ、減衰が急峻なバンドパス特性が得られる。
【００７１】
図１９は第２のフィルタ手段３０２のショートスタブを６段にした場合の周波数特性図を示す。
【００７２】
第２のフィルタ手段３０２のショートスタブを６段にすることにより、阻止帯域の減衰量が急峻になり、図１９に示すように阻止帯域の減衰量も増加させることが可能となる。
【００７３】
なお、第２のフィルタ手段３０２を構成するショートスタブの配置は、他のショートスタブ又はリングフィルタとの間隔が略（λ／４）間隔であれば、リングフィルタの間に配置するようにしてもよい。また、その延出方向も一方向に限定されるものではない。
【００７４】
さらに、ショートスタブは、直線状に限定されるものではなく、湾曲、あるいは、折曲されていてもよい。
【００７５】
〔第４実施例〕
〔全体構成〕
図２０は本発明の第４実施例の斜視図、図２１は本発明の第４実施例の構成図を示す。
【００７６】
本実施例のフィルタ装置４００は、第１のフィルタ手段４０１及び第２のフィルタ手段４０２から構成される。第１のフィルタ手段４０１及び第２のフィルタ手段４０２は、プリント配線板４１１上に形成される導電パターンにより構成されている。
【００７７】
〔第１のフィルタ手段４０１〕
第１のフィルタ手段４０１は、第１のスタブ付きリングフィルタ４２１、第２のスタブ付きリングフィルタ４２２から構成される。
【００７８】
第１のスタブ付きリングフィルタ４２１は、リング部４３１及びオープンスタブ４３２から構成される。リング部４３１は、（λ／２）経路４３１ａ、（λ／４）経路４３１ｂ、４３１ｃから構成されており、矢印Ｙ方向が長辺、矢印Ｘ方向が短辺とされた楕円形状とされている。このような形状とすることにより、矢印Ｘ方向の幅の広がりを小さくしている。
【００７９】
オープンスタブ４３２は、長さが略（λ／４）とされており、リング部４３１の（λ／４）経路４３１ｂと（λ／４）経路４３１ｃとの接続点から矢印Ｘ１方向に延出した後、矢印Ｙ２方向に折曲された形状とされている。第１のスタブ付きフィルタ４２１は、一端が矢印Ｙ２方向に延在する第１の配線４４１を介してポートＰ41に接続されている。
【００８０】
第２のスタブ付きリングフィルタ４２２は、リング部４５１及びオープンスタブ４５２から構成される。リング部４５１は、（λ／２）経路４５１ａ、（λ／４）経路４５１ｂ、４５１ｃから構成されており、矢印Ｙ方向が長辺、矢印Ｘ方向が短辺とされた楕円形状とされている。このような形状とすることにより、矢印Ｘ方向の幅の広がり小さくしている。
【００８１】
オープンスタブ４５２は、長さが略（λ／４）とされており、リング部４５１の（λ／４）経路４５１ｂと（λ／４）経路４５１ｃとの接続点から矢印Ｘ２方向に延出した後、矢印Ｙ２方向に折曲された形状とされている。第２のスタブ付きフィルタ４２２は、一端が第２の配線４６１を介してポートＰ42に接続されている。
【００８２】
また、第１のスタブ付きリングフィルタ４２１の他端と第２のスタブ付きリングフィルタ４２２の一端とは、第３の配線４７１を介して接続されている。第３の配線４７１は、第１のスタブ付きリングフィルタ４２１の他端から矢印Ｙ１方向に延出した後、矢印Ｘ１方向に折曲され、矢印Ｘ１方向に延出し、さらに、矢印Ｙ２方向に折曲されて、第２のスタブ付リングフィルタ４２１の一端に接続された形状とされている。第３の配線４７１によりパターンが矢印Ｙ１方向から矢印Ｙ２方向に折り返される。これによって、ポートＰ41、Ｐ42がプリント配線板４１１の矢印Ｙ２方向の一端辺から引き出すことができる。
【００８３】
〔第２のフィルタ手段４０２〕
第２のフィルタ手段４０２は、第１のフィルタ１０１のバンドエルミネート特性の低域減衰極周波数以下の周波数を減衰させるフィルタであり、５段のショートスタブ４８１〜４８５から構成される。
【００８４】
ショートスタブ４８１は、一端が第１の配線４４１のポートＰ41側の所定の位置に接続されており、矢印Ｘ１方向に長さが略（λ／４）に亘って延出されている。なお、ショートスタブ４８１は、幅がＷ41に設定されている。また、ショートスタブ４８１の他端は、スルーホール４９１を通してプリント配線板４１１の裏面側に全面に亘って形成された接地パターン４１２に接続されている。
【００８５】
ショートスタブ４８２は、一端が第１の配線４４１のショートスタブ４８１の接続位置から（λ／４）、矢印Ｙ１方向に変位した位置で第１の配線４４１に接続されている。ショートスタブ４８２は、矢印Ｘ１方向に長さが略（λ／４）に亘って延出されている。なお、ショートスタブ４８２は、幅がＷ42に設定されている。また、ショートスタブ４８２の他端は、スルーホール４９２を通してプリント配線板４１１の裏面側に全面に亘って形成された接地パターン４１２に接続されている。
【００８６】
ショートスタブ４８３は、一端が第２の配線４６１のポートＰ42側の所定の位置に接続されており、矢印Ｘ２方向に長さが略（λ／４）に亘って延出されている。なお、ショートスタブ４８３は、幅がＷ43に設定されている。また、ショートスタブ４８３の他端は、スルーホール４９３を通してプリント配線板４１１の裏面側に全面に亘って形成された接地パターン４１２に接続されている。
【００８７】
ショートスタブ４８４は、一端が第２の配線４６１のショートスタブ４８３の接続位置から（λ／４）、矢印Ｙ１方向に変位した位置で第２の配線４６１に接続されている。ショートスタブ４８４は、矢印Ｘ２方向に長さが略（λ／４）に亘って延出されている。なお、ショートスタブ４８４は、幅がＷ44に設定されている。また、ショートスタブ４８４の他端は、スルーホール４９４を通してプリント配線板４１１の裏面側に全面に亘って形成された接地パターン４１２に接続されている。
【００８８】
ショートスタブ４８５は、一端が第３の配線４７１の中間点に接続されており、矢印Ｙ２方向に長さが略（λ／４）に亘って延出されている。なお、ショートスタブ４８５は、幅がＷ45に設定されている。また、ショートスタブ４８５の他端は、スルーホール４９５を通してプリント配線板４１１の裏面側に全面に亘って形成された接地パターン４１２に接続されている。
【００８９】
なお、ショートスタブ４８１〜４８５の長さ及び幅は、得ようと周波数特性に応じて調整されている。
【００９０】
〔効果〕
本実施例によれば、折り返しパターンとすることにより、フィルタ装置４００をコンパクトに構成でき、通信装置などへ実装が容易になる。
【００９１】
〔第１変形例〕
図２２はフィルタ装置４００の第１変形例の構成図を示す。同図中、図２０、図２１と同一構成部分には同一符号を付し、その説明は省略する。
【００９２】
本変形例のフィルタ装置４００は、第１のスタブ付きリングフィルタ４２１のオープンスタブ４３２の折曲部分４３２ａ及び第２のスタブ付きリングフィルタ４２２のオープンスタブ４５２の折曲部分４５２ａ並びにショートスタブ４８５の他端の角部４８５ａ、４８５ｂにＲをつける構成とした。第１のスタブ付きリングフィルタ４２１のオープンスタブ４３２の折曲部分４３２ａ及び第２のスタブ付きリングフィルタ４２２のオープンスタブ４５２の折曲部分４５２ａ並びにショートスタブ４８５の他端の角部４８５ａ、４８５ｂとの電磁的な相互作用を低減でき、所望の特性を得ることができる。
【００９３】
なお、本変形例では、角部をラウンド状としたが、角部を直線的に切断し、多角形状としてもよい。
【００９４】
〔第５実施例〕
図２３は本発明の第５実施例の斜視図を示す。図２３（Ａ）は展開時、図２３（Ｂ）は折曲時、図２３（Ｃ）は巻き込み時の状態を示す。
同図中、図２０、図２１と同一構成部分には同一符号を付し、その説明は省略する。
【００９５】
本実施例のフィルタ装置５００は、プリント配線板４１１に代えてフレキシブルプリント配線板５１１上に第１のフィルタ手段４０１及び第２のフィルタ手段４０２を搭載し、フレキシブルプリント配線板４１１ａの矢印Ｙ１方向の端辺を矢印Ａ方向に折曲した構成とされている。
【００９６】
本実施例によれば、フレキシブルプリント配線板５１１上に第１のフィルタ手段４０１及び第２のフィルタ手段４０２を搭載し、それを折り曲げることにより、小型化が可能となる。また、設置の自由度が向上する。
【００９７】
また、図２３（Ｂ）に示すように接地パターン４１２が内側となるように折曲することにより、第１のスタブ付きリングフィルタ４２１及び第２のスタブ付きリングフィルタ４２２並びにショートスタブ４８１〜４８５が互いに干渉することを防止できる。よって、所望の特性を得ることができる。
【００９８】
また、第１の配線４４１、第２の配線４６１を外側に表出させることができるため、その先端に設けられたポートＰ41、Ｐ42を外側に表出させることができ、よって、外部のプリント配線板などへの実装を容易に行える。
【００９９】
なお、フレキシブルプリント配線板５１１上に絶縁フィルムなどを貼り付けて、図２３（Ｃ）に示すように矢印Ａ方向に巻き込むようにしてもよい。
【０１００】
〔第６実施例〕
図２４は本発明の第６実施例の斜視図を示す。同図中、図２３と同一構成部分には同一符号を付し、その説明は省略する。
【０１０１】
本実施例のフィルタ装置６００は、フィルタ装置５００を折曲した状態で、誘電体樹脂６０１により封止した構成とされている。なお、誘電体樹脂６０１は、高誘電率、高透磁率の樹脂材料から構成されている。
【０１０２】
このとき、フィルタ装置５００の矢印Ｙ１方向の端辺を矢印Ｙ１方向に延長しておき、その延長部５０１を図２４（Ａ）に示すように矢印Ｚ２方向に折曲させ、延長部５０１を外部に表出させることにより、ポートＰ41、Ｐ42を外部に表出させ、外部回路との接続を可能としている。
【０１０３】
本実施例によれば、フィルタ装置５００を誘電体樹脂６０１により封止することにより、誘電体樹脂６０１の誘電率による波長短縮効果により、フィルタ装置５００において扱う波長λが小さくできるので、未封止状態で使用する場合と同等の周波数特性を得るときに、配線及びリング並びにスタブの長さを短くでき、よって、フィルタ装置５００を小型化できる。このとき、誘電体樹脂６０１として、高誘電率、高透磁率の樹脂材料を用いることにより、波長短縮効果が大きくなり、より小型化が可能となる。
【０１０４】
なお、図２４（Ｂ）に示すようにフィルタ装置５００を巻回させて、誘電体樹脂６０１に封止するようにしてもよい。
【０１０５】
〔第７実施例〕
図２５は本発明の第７実施例の斜視図、図２６は本発明の第７実施例のブロック構成図を示す。同図中、図２０、図２１と同一構成部分には同一符号を付し、その説明は省略する。
【０１０６】
本実施例は、フィルタ装置４００を含む回路モジュールについて説明する。本実施例の回路モジュール７００は、プリント配線板７１１上にフィルタ装置４００に加えて信号処理ＩＣ７０１、チップアンテナ７０２などの他の電子部品を搭載した構成とされている。
【０１０７】
信号処理ＩＣ７０１は、ベースバンド処理回路７０１ａや二変調回路７０１ｂが内蔵されている。信号処理ＩＣ７０１には、プリント配線板７１１の外部から送信データが供給される。信号処理ＩＣ７０１は、外部からの送信データを変調して、送信信号を生成する。信号処理ＩＣ７０１で生成された送信信号は、フィルタ装置４００に供給される。フィルタ装置４００により所定の通過帯域の信号が選択的にチップアンテナ７０１ｂに供給される。チップアンテナ７０１ｂは、フィルタ装置４００からの送信信号を外部に放射する。
【０１０８】
本実施例によれば、フィルタ装置４００を回路モジュール７００としてユニット化できる。また、本実施例では、プリント配線板７１１に搭載される信号処理ＩＣ７０１は送信用の構成について説明したが、これに限定されるものではなく、復調回路などを搭載して受信用、あるいは、変調回路及び復調回路の両方と搭載して送受信用とすることも可能である。
【０１０９】
なお、プリント配線板７０１をフレキシブルプリント配線板から構成し、図２３に示すように折曲することにより小型化を図ることもできる。さらに、図２４に示すように折曲して、誘電体樹脂により封止するようにしてもよい。これによって、更に小型化が可能となる。
【０１１０】
〔第８実施例〕
図２７は本発明の第８実施例の斜視図、図２８は本発明の第８実施例の構成図を示す。同図中、図２０、図２１と同一構成部分には同一符号を付し、その説明は省略する。
【０１１１】
本実施例のフィルタ装置８００は、ショートスタブ４８１の他端とショートスタブ４８３の他端とを接続し、その接続点にスルーホール８９１を設け、ショートスタブ４８１、４８３の他端を共通のスルーホール８９１を介してプリント配線板４１１の裏面側に設けられた接地パターン４１２に接続し、ショートスタブ４８２の他端とショートスタブ４８４の他端とを接続し、その接続点にスルーホール８９２を設け、ショートスタブ４８２、４８４の他端を共通のスルーホール８９２を介してプリント配線板４１１の裏面側に設けられた接地パターン４１２に接続した構成とされている。
【０１１２】
〔第９実施例〕
図２９は本発明の第９実施例の斜視図、図３０は本発明の第９実施例の構成図を示す。同図中、図２７、図２８と同一構成部分には同一符号を付し、その説明は省略する。
【０１１３】
本実施例のフィルタ装置９００は、プリント配線板４１１上のショートスタブ４８１、４８２とショートスタブ４８３、４８４との間にアース板９０１を立てた構成とされている。アース板９０１は、スルーホール８９１、８９３に挿入され、プリント配線板４１１の裏面側形成された接地パターン４１２に接続されている。
【０１１４】
本実施例によれば、アース板９０１によりポートＰ41側とポートＰ42側との相互干渉を低減できる。
【０１１５】
〔第１０実施例〕
図３１は本発明の第１０実施例の斜視図、図３２は本発明の第１０実施例の構成図を示す。同図中、図２０、図２１と同一構成部分には同一符号を付し、その説明は省略する。
【０１１６】
本実施例のフィルタ装置１０００は、リング部１０３１、１０５１の構成が図２０、図２１とは相違している。
【０１１７】
本実施例の第１のスタブ付きリングフィルタ１０２１、第２のスタブ付きリングフィルタ１０２２の構成が第４実施例とは相違している。
【０１１８】
本実施例の第１のスタブ付きリングフィルタ１０２１は、リング部１０３１及びオープンスタブ１０３２から構成される。リング部１０３１は、（λ／２）経路１０３１ａ、（λ／４）経路１０３１ｂ、１０３１ｃから構成されており、矢印Ｙ方向が長辺、矢印Ｘ方向が短辺とされた楕円形状とされ、かつ、（λ／２）経路１０３１ａが矢印Ｘ１方向側を通り、（λ／４）経路１０３１ｂ、１０３１ｃが矢印Ｘ２方向側を通る構成とされている。
【０１１９】
オープンスタブ１０３２は、長さが略（λ／４）とされており、リング部１０３１の（λ／４）経路１０３１ｂと（λ／４）経路１０３１ｃとの接続点から矢印Ｘ２方向に延出した後、矢印Ｙ１方向に折曲された形状とされている。
【０１２０】
第２のスタブ付きリングフィルタ１０２２は、リング部１０５１及びオープンスタブ１０５２から構成される。リング部１０５１は、（λ／２）経路１０５１ａ、（λ／４）経路１０５１ｂ、１０５１ｃから構成されており、矢印Ｙ方向が長辺、矢印Ｘ方向が短辺とされた楕円形状とされ、かつ、（λ／２）経路１０５１ａが矢印Ｘ２方向側を通り、（λ／４）経路１０５１ｂ、１０５１ｃが矢印Ｘ１方向側を通る構成とされている。
【０１２１】
オープンスタブ４５２は、長さが略（λ／４）とされており、リング部４５１の（λ／４）経路４５１ｂと（λ／４）経路４５１ｃとの接続点から矢印Ｘ２方向に延出した後、矢印Ｙ２方向に折曲された形状とされている。第２のスタブ付きフィルタ４２２は、一端が第２の配線４６１を介してポートＰ42に接続されている。
【０１２２】
〔第１１実施例〕
なお、第４実施例乃至第１０実施例のフィルタ装置では、スタブ付きリングフィルタを２段、ショートスタブを３段とした構成について説明したが、スタブ付きリングフィルタを３段、ショートスタブを２段とした構成とすることも可能である。
【０１２３】
図３３は本発明の第１１実施例の斜視図、図３４は本発明の第１１実施例の構成図を示す。同図中、図２０、図２１と同一構成部分には同一符号を付し、その説明は省略する。
【０１２４】
〔全体構成〕
本実施例のフィルタ装置１１００は、第１のフィルタ手段１１０１及び第２のフィルタ手段１１０２から構成される。第１のフィルタ手段１１０１及び第２のフィルタ手段１１０２は、プリント配線板４１１上に形成される導電パターンにより構成されている。
【０１２５】
〔第１のフィルタ手段１１０１〕
第１のフィルタ手段１１０１は、第１のスタブ付きリングフィルタ４２１、第２のスタブ付きリングフィルタ４２２に加えて第３のスタブ付きリングフィルタ１１２３を有する構成とされている。
【０１２６】
第３のスタブ付きリングフィルタ１１２３は、リング部１１３１及びオープンスタブ１１３２から構成される。リング部１１３１は、（λ／２）経路１１３１ａ、（λ／４）経路１１３１ｂ、１１３１ｃから構成されており、矢印Ｙ方向が長辺、矢印Ｘ方向が短辺とされた楕円形状とされている。このような形状とすることにより、矢印Ｘ方向の幅の広がりを小さくしている。
【０１２７】
オープンスタブ１１３２は、長さが略（λ／４）とされており、リング部１１３１の（λ／４）経路１１３１ｂと（λ／４）経路１１３１ｃとの接続点から矢印Ｙ２方向に延出した形状とされている。第３のスタブ付きフィルタ１１２１は、一端が矢印Ｘ２方向に延出しており、矢印Ｘ２方向から矢印Ｙ２方向に折曲した形状の配線１２１１を介して第１のスタブ付きリングフィルタ４２１の他端に接続され、他端が矢印Ｘ１方向に延出しており、矢印Ｘ１方向から矢印Ｙ２方向に折曲した形状の配線１２１２を介して第２のスタブ付きリングフィルタ４２２の一端に接続されている。
【０１２８】
〔第２のフィルタ手段１１０２〕
第２のフィルタ手段１１０２は、第１のフィルタ１１０１のバンドエルミネート特性の低域減衰極周波数以下の周波数を減衰させるフィルタであり、第４実施例のショートスタブ４８５を削除した４段のショートスタブ４８１〜４８４から構成される。
【０１２９】
〔特性〕
図３５はフィルタ装置１１００の周波数特性図を示す。
【０１３０】
本実施例のフィルタ装置１１００によれば、図３５に示すような周波数特性を得ることができる。リングフィルタの段数が１段増加させることにより、阻止帯域の幅を広げ、減衰極付近でショートスタブの帯域特性の影響を低減できるため、減衰極付近でリングフィルタの急峻な特性を活かすことが可能となる。
【０１３１】
なお、本実施例のフィルタ装置１１００に対しても第４実施例と同様にその変形例及び第５乃至第１０実施例の構成を適用することができることは言うまでもない。
【図面の簡単な説明】
【０１３２】
【図１】リングフィルタの構成図である。
【図２】リングフィルタの通過周波数特性図である。
【図３】リングフィルタを用いたフィルタ装置の構成図である。
【図４】リングフィルタを用いたフィルタ装置の周波数特性図である。
【図５】本発明の第１実施例の斜視図である。
【図６】本発明の第１実施例の構成図である。
【図７】フィルタ装置１００の周波数特性図である。
【図８】図８は本発明の第２実施例の斜視図である。
【図９】本発明の第２実施例の構成図である。
【図１０】ローパスフィルタ２３１の回路構成図である。
【図１１】ハイパスフィルタ２３２の回路構成図である。
【図１２】フィルタ装置２００の周波数特性図である。
【図１３】本発明の第３実施例の斜視図である。
【図１４】本発明の第３実施例の要部の構成図である。
【図１５】ショートスタブ３１１の構成図である。
【図１６】ショートスタブ周波数特性図である。
【図１７】ショートスタブ周波数特性図である。
【図１８】フィルタ装置３００の周波数特性図である。
【図１９】第２のフィルタ手段３０２のショートスタブを６段にした場合の周波数特性図である。
【図２０】本発明の第４実施例の斜視図である。
【図２１】本発明の第４実施例の構成図である。
【図２２】フィルタ装置４００の第１変形例の構成図である。
【図２３】本発明の第５実施例の斜視図である。
【図２４】本発明の第６実施例の斜視図である。
【図２５】本発明の第７実施例の斜視図である。
【図２６】本発明の第７実施例のブロック構成図である。
【図２７】本発明の第８実施例の斜視図である。
【図２８】本発明の第８実施例の構成図である。
【図２９】本発明の第９実施例の斜視図である。
【図３０】本発明の第９実施例の構成図である。
【図３１】本発明の第１０実施例の斜視図である。
【図３２】本発明の第１０実施例の構成図である。
【図３３】本発明の第１１実施例の斜視図である。
【図３４】本発明の第１１実施例の構成図である。
【図３５】フィルタ装置１１００の周波数特性図である。
【符号の説明】
【０１３３】
１００、２００、３００、４００、５００、６００、８００、９００、１０００
１１００  フィルタ装置
７００  通信装置
１０１、４０１  第１のフィルタ手段
１０２、２０２、３０２、４０２  第２のフィルタ手段
１１１、４１１  プリント配線板
１２１  第１のスタブ付きリングフィルタ、１２２  第２のスタブ付きリングフィルタ
１２３  第３のスタブ付きリングフィルタ、１２４  接地パターン
１３１  チップコンデンサ
２３１  ローパスフィルタ、２３２  ハイパスフィルタ
３１１〜３１４  ショートスタブ、３２１  第１の配線パターン、３２２  スルーホール
４１２  接地パターン
４２１  第１のスタブ付きリングフィルタ、４２２  第２のスタブ付きリングフィルタ
４８１〜４８５  ショートスタブ、４９１〜４９５  スルーホール
４１１ａ  フレキシブルプリント配線板、６０１  誘電体樹脂
７０１  信号処理ＩＣ、７０２  チップアンテナ
９０１  アース板
１１２３  第２のスタブ付きリングフィルタ
【図１】
2005318428.tif 000003
【図２】
2005318428.tif 000004
【図３】
2005318428.tif 000005
【図４】
2005318428.tif 000006
【図５】
2005318428.tif 000007
【図６】
2005318428.tif 000008
【図７】
2005318428.tif 000009
【図８】
2005318428.tif 000010
【図９】
2005318428.tif 000011
【図１０】
2005318428.tif 000012
【図１１】
2005318428.tif 000013
【図１２】
2005318428.tif 000014
【図１３】
2005318428.tif 000015
【図１４】
2005318428.tif 000016
【図１５】
2005318428.tif 000017
【図１６】
2005318428.tif 000018
【図１７】
2005318428.tif 000019
【図１８】
2005318428.tif 000020
【図１９】
2005318428.tif 000021
【図２０】
2005318428.tif 000022
【図２１】
2005318428.tif 000023
【図２２】
2005318428.tif 000024
【図２３】
2005318428.tif 000025
【図２４】
2005318428.tif 000026
【図２５】
2005318428.tif 000027
【図２６】
2005318428.tif 000028
【図２７】
2005318428.tif 000029
【図２８】
2005318428.tif 000030
【図２９】
2005318428.tif 000031
【図３０】
2005318428.tif 000032
【図３１】
2005318428.tif 000033
【図３２】
2005318428.tif 000034
【図３３】
2005318428.tif 000035
【図３４】
2005318428.tif 000036
【図３５】
2005318428.tif 000037